(57)【要約】【課題】浴槽水の残湯熱を確実に回収することが出来る残湯熱回収機能付き貯湯式給湯風呂装置を提供する。【解決手段】貯湯タンク１底部に接続された給水管９と上部に接続した給湯管１０と、前記貯湯タンク１内の湯水に浴槽４の残湯熱量を回収させる残湯熱回収手段２０と、浴槽４の風呂循環回路１６に設けられ湯張り終了と入浴状態を検知する水位センサ２５と、追い焚き終了を検知する風呂温度センサ１７とを備えたもので、前記水位センサ２５と風呂温度センサ１７による湯張りや追い焚きの終了時刻及び、水位センサ２５による浴槽４水位の上昇による入浴中の時刻を、過去７日間と当日を記憶する風呂使用状態記憶部２９を備え、該風呂使用状態記憶部２９は最も遅い入浴検出の時刻を選出し、この時刻に所定時間を加算した時刻に前記残湯熱回収手段２０を駆動させるようにしたので、安心して残湯熱回収が出来、極めて経済的であり省エネである。【選択図】図１
2011122760.tif 000002
【特許請求の範囲】
【請求項１】
加熱手段で加熱された湯水を貯湯する貯湯タンクと、前記貯湯タンク底部に接続された給水管と上部に接続した給湯管と、前記貯湯タンク内の湯水に浴槽の残湯熱量を回収させる残湯熱回収手段と、浴槽の風呂循環回路に設けられ湯張り終了と入浴状態を検知する水位センサと、追い焚きの終了を検知する風呂温度センサとを備えたものに於いて、前記水位センサと風呂温度センサによる湯張りや追い焚きの終了時刻及び、水位センサによる浴槽水位の上昇による入浴中の時刻を、過去７日間と当日を記憶する風呂使用状態記憶部を備え、該風呂使用状態記憶部は最も遅い入浴検出の時刻を選出し、この時刻に所定時間を加算した時刻に前記残湯熱回収手段を駆動させるようにした事を特徴とする残湯熱回収機能付き貯湯式給湯風呂装置。
【発明の詳細な説明】
【技術分野】
【０００１】
この発明は、貯湯タンク内に貯湯された湯水に風呂の残湯熱を回収させて、経済性の向上を図った残湯熱回収機能付き貯湯式給湯風呂装置に関するものである。
【背景技術】
【０００２】
従来よりこの種のものでは、風呂の残湯熱を回収するための熱交換器を備え、この熱交換器に風呂の残湯を循環させる循環回路と、貯湯タンク下部の低温水を循環させる回路とが接続され、風呂の残湯を排水することなく、貯湯タンク内の湯水の加熱に利用するものであった。（例えば、特許文献１参照。）
【先行技術文献】
【特許文献】
【０００３】
【特許文献１】特開２００９−２１６２６６号公報
【発明の概要】
【発明が解決しようとする課題】
【０００４】
ところでこの従来のものでは、風呂の使用が完全に終了後に、手動で熱回収運転モードにして熱回収を行うもので、しばしば熱回収運転を忘れてしまったり、手動操作が煩わしいものであり、使用者には大きな負荷となるものであった。
【課題を解決するための手段】
【０００５】
この発明はこの点に着目し、上記欠点を解決する為、特にその構成を、加熱手段で加熱された湯水を貯湯する貯湯タンクと、前記貯湯タンク底部に接続された給水管と上部に接続した給湯管と、前記貯湯タンク内の湯水に浴槽の残湯熱量を回収させる残湯熱回収手段と、浴槽の風呂循環回路に設けられ湯張り終了と入浴状態を検知する水位センサと、追い焚きの終了を検知する風呂温度センサとを備えたものに於いて、前記水位センサと風呂温度センサによる湯張りや追い焚きの終了時刻及び、水位センサによる浴槽水位の上昇による入浴中の時刻を、過去７日間と当日を記憶する風呂使用状態記憶部を備え、該風呂使用状態記憶部は最も遅い入浴検出の時刻を選出し、この時刻に所定時間を加算した時刻に前記残湯熱回収手段を駆動させるようにしたものである。
【発明の効果】
【０００６】
この発明によれば、当日と過去７日間で最も遅い入浴検出の時刻を選出し、この時刻に更に安全のための余裕時間を加算した時刻に残湯熱回収が行われるので、煩わしい操作が不用であり、更に確実に風呂が使用されないところで残湯熱回収され、安心して残湯熱回収が出来、極めて経済的であり省エネである。
【図面の簡単な説明】
【０００７】
【図１】この発明の一実施形態を示す残湯熱回収機能付き貯湯式給湯風呂装置の概略構成図。
【図２】同電気回路の要部ブロック図。
【図３】同風呂使用状態記憶部の記憶内容の説明図。
【発明を実施するための形態】
【０００８】
次にこの発明一実施形態を付した残湯熱回収機能付き貯湯式給湯風呂装置について図面に基づいて説明する。
この給湯風呂装置は、時間帯別契約電力の電力単価が安価な深夜時間帯に湯水を沸き上げて貯湯し、この貯湯した湯水を給湯に用いるもので、１は湯水を貯湯する貯湯タンク、２は貯湯タンク内の湯水を加熱する加熱手段としてのヒートポンプユニット、３はこの給湯装置を遠隔操作するように台所に設置されたリモコン、４は浴槽である。
【０００９】
５はヒートポンプユニット２にヒーポン循環ポンプ（図示せず）の駆動で貯湯タンク１下部の給水を供給するヒーポン往き管で、ヒートポンプユニット２で加熱されて温度上昇した湯水はヒーポンバイパス路６が接続したヒーポン三方弁７を介してヒーポン戻し管８により貯湯タンク１の上部に供給され、順次これを繰り返して貯湯タンク１内の上部から高温水を貯湯して行くものである。
【００１０】
９は貯湯タンク１底部に接続された給水管で、該貯湯タンク１上部には給湯管１０が接続され、該給湯管１０には高温水と給水とを混合して設定温度の給湯を行う給湯混合弁１１が備えられている。
【００１１】
１２は前記浴槽４の湯水を加熱するためのステンレス製の蛇管よりなる風呂用熱交換器で、貯湯タンク１内の上部に配置されていると共に、この風呂用熱交換器１２には風呂往き管１３および風呂循環ポンプ１４を備えた風呂戻り管１５よりなる風呂循環回路１６が接続されて浴槽４の湯水が循環可能にされ、浴槽４内の湯水を風呂用熱交換器１２に循環させて貯湯タンク１内の高温水と熱交換により加熱し、風呂往き管１３に備えた風呂温度センサ１７が風呂設定温度を検知して循環を停止することで、追い焚きが終了するものである。
【００１２】
１８は前記風呂循環回路１６中で風呂用熱交換器１２をバイパスする風呂バイパス路１９を開閉する風呂三方弁で、風呂の追い焚き開始直後に風呂用熱交換器１２から供給される高温水に、前記風呂三方弁１８の切り替えにより風呂バスパス路１９を介して風呂の循環水を混合して温度を低下させるものである。
【００１３】
２０は前記風呂循環回路１６途中で循環路を切り替える回収三方弁２１と、該回収三方弁２１の切り替えにより浴槽水が循環する貯湯タンク１内下部に備えられた回収用熱交換器２２とで構成された残湯熱回収手段で、残湯熱回収時には風呂循環ポンプ１４を駆動し、風呂三方弁１８を風呂バイパス路１９側に切り替えると共に、回収三方弁２１を回収用熱交換器２２側とすることで、浴槽水が回収用熱交換器２２を循環して残熱を貯湯タンク１内の低温水と熱交換して、貯湯させるようにするものである。
【００１４】
２３は給湯混合弁１１後の給湯管１０から分岐され風呂循環回路１６に連通する湯張り回路で、電動弁２４の開成で設定温度の給湯を浴槽４に湯張りし、風呂往き管１３に備えた水位センサ２５で所定水位を検知することで、電動弁２４を閉成して湯張りを終了するものである。
【００１５】
２６はマイコンから成る給湯制御部で、前記した貯湯タンク１内の湯水の加熱制御や、該貯湯タンク１内の湯水の給湯制御、風呂の湯張りや追い焚きの制御も行うものであり、又この給湯制御部２６には、リモコン３の湯張りスイッチ２７や追い焚きスイッチ２８のＯＮによる湯張りや追い焚きの開始から、水位センサ２５が所定水位検知による湯張り終了、風呂温度センサ１７が風呂設定温度検知による追い焚き終了の時刻及び、水位センサ２５による浴槽４水位の上昇による入浴中の時刻を、過去７日間と当日を記憶する風呂使用状態記憶部２９が設けられ、この風呂使用状態記憶部２９は最も遅い入浴検出の時刻を選出し、この時刻に所定時間ここでは１時間を加算した時刻に前記残湯熱回収手段２０を駆動させるようにしたものであり、更に残湯熱回収手段２０の駆動後は、一番古い記憶を消去し当日の記憶を最新のデーターとして記憶し、順次最新の７日間を記憶して行くものである。
【００１６】
３０は貯湯タンク１下部で回収用熱交換器２２と対向する位置に設けられた貯湯温度センサで、残湯熱回収運転前と残湯熱回収運転中に、浴槽４内の残湯を循環させて風呂温度センサ１７で残湯温度を検知し、この温度と貯湯温度センサ３０の検知温度との間に、所定の熱交換可能な温度差があるかを判断し、ない時には残湯熱回収運転を行わず、又途中でなくなった時には、残湯熱回収運転を終了するようにしたものである。
【００１７】
次にこの一実施形態の作動について図３に基づいて説明する。
今リモコン３の湯張りスイッチ２７がＯＮされて湯張りが開始され、電動弁２４が開成して貯湯タンク１内の高温水が給湯混合弁１１で給水と混合され設定温度の温水となって、湯張り回路２３から風呂循環回路１６を介して浴槽４に湯張りされ、そして風呂往き管１３に備えられた水位センサ２５が、浴槽４内に設定温度の湯が所定水位湯張りされたとして湯張りを終了するものであるが、この時に風呂使用状態記憶部２９は湯張りスイッチ２７のＯＮで湯張り運転を認識し、更に水位センサ２５による湯張り終了信号を入力して、一番上の当日の記憶内容で、１７時３０分にＡの突出状態のように湯張り終了を時刻と共に記憶する。
【００１８】
次に当日の記憶内容では、浴槽４に人が入浴すると該浴槽４の水位が上昇するので、これを水位センサ２５が検知し、シャワーや身体洗いのための短時間の出入りによる水位が変動しても入浴中と認識して、風呂使用状態記憶部２９がこの検知状態を、１８時１０分から１９時までのようにＢの長い突出状態のようにして入浴中を記憶する。
【００１９】
又リモコン３の追い焚きスイッチ２８がＯＮされて追い焚きが開始され、風呂循環ポンプ１４を駆動せると共に、風呂三方弁１８を風呂用熱交換器１２側の連通状態とし、回収三方弁２１を風呂往き管１３側の連通状態とすることで、浴槽水が風呂用熱交換器１２を循環して貯湯タンク１内の高温水との熱交換で追い焚きされ、そして風呂往き管１３に備えられた風呂温度センサ１７が、風呂の設定温度を検知することで追い焚きは終了されるものであるが、この時に風呂使用状態記憶部２９は追い焚きスイッチ２８のＯＮで追い焚き運転を認識し、更に風呂温度センサ１７による追い焚き終了信号を入力して、当日の記憶内容で、２０時３０分にＣの突出状態のように追い焚き終了を時刻と共に記憶する。
【００２０】
そしてまた、２０時５０分から２１時４０分までの入浴を水位センサ２５で検知して、入浴中をＢの長い突出状態のようにして記憶するが、これ以後は湯張りや追い焚き、入浴が行われない状態になった時、風呂使用状態記憶部２９は図示したように、１日前から７日前までの過去７日間と当日の風呂使用の記憶から、最も遅い入浴検出の時刻を選出し、ここでは５日前の入浴Ｂが２４時と最も遅いので、この２４時を選択してここから余裕時間である所定時間の１時間経過後に、即ち午前１時に残湯熱回収手段２０を駆動Ｄさせるものである。
【００２１】
次に残湯熱回収手段２０の駆動は、風呂循環ポンプ１４を駆動せると共に、風呂三方弁１８を風呂バイパス路１９側の連通状態に切り替え、回収三方弁２１を回収用熱交換器２２側の連通状態とすることで、浴槽水が回収用熱交換器２２を循環して残熱を貯湯タンク１内の低温水と熱交換して、貯湯させるようにするものである。
【００２２】
更に上記の残湯熱回収運転中に、所定間隔で貯湯温度センサ３０による貯湯温度と、風呂温度センサ１７による残湯熱温度との温度差が、熱交換可能な所定温度差があるかを風呂使用状態記憶部２９が判断し、所定の温度差がなくなった時に残湯熱回収運転を終了させるものであり、又貯湯温度センサ３０が所定温度を検知した時に残湯熱回収運転を終了させるようにしても良いものである。
【００２３】
このように、浴槽水の残湯熱を回収するタイミングを過去７日間と当日の実績データーを基に決定することで、確実に残湯熱を回収出来、回収中或いは回収後に入浴が発生すると言う不具合がなく、安心して使用されるものであり、無駄がなく極めて経済的で省エネに富むものである。
【符号の説明】
【００２４】
１  貯湯タンク
２  ヒートポンプユニット（加熱手段）
４  浴槽
９  給水管
１０  給湯管
１６  風呂循環回路
１７  風呂温度センサ
２０  残湯熱回収手段
２５  水位センサ
２９  風呂使用状態記憶部
【図１】
2011122760.tif 000003
【図２】
2011122760.tif 000004
【図３】
2011122760.tif 000005